(57)【要約】【課題】従来の溶接チップとホーンとの接触面での振動ロスの発生を抑制し、振動ロスに起因する摩耗と発熱の問題を解消する。【解決手段】溶接チップ４をホーン１と近い周波数をもつ、半波長で且つ腹部４ａ−節部４ｂ−腹部４ｃをもつ共振体とする。溶接チップ４を軸断面多角形とし、その軸方向の両端において、その腹部４ａ、４ｃの位置に軸方向と直交して突出する接合作用部５、５を設け、且つまた、接合作用部５、５は各面の夫々に設ける。また、両方の端面にホーン１との結合ネジ３の螺合孔６、６を設ける。更に溶接チップ４の軸方向中央における節部４ｂの位置に保持、加圧用のフランジ部７を形成する。【選択図】図２
2014213324.tif 000002
【特許請求の範囲】
【請求項１】
溶接チップをホーンと近い周波数をもつ、半波長又は一波長で且つ腹部−節部−腹部をもつ共振体とし、更に該溶接チップを軸断面多角形とし、その軸方向の両端において、その腹部の位置に軸方向と直交又は平行して突出する接合作用部を設け、且つまた該接合作用部は各面の夫々に設けると共に、端面にホーンとの結合ネジの螺合孔を設け、更に該溶接チップの軸方向中央における節部の位置に保持、加圧用のフランジ部を形成してなることを特徴とする超音波溶接装置。
【発明の詳細な説明】
【技術分野】
【０００１】
本発明は、重ね合わせた金属或いは樹脂材等の超音波接合可能な部材に加圧力と共に超音波振動を付与してそれらの部材を接合する超音波溶接装置に関するものである。
【背景技術】
【０００２】
重ね合わせた金属或いは樹脂材等に加圧力と共に超音波振動を付与してそれらの部材を接合する超音波溶接装置は、一般的にコンバーターとブースターとからなる起振ユニットと、ブースターから前方に突出するホーンと、このホーンの先端に取着される溶接チップとをもって構成されている。
【０００３】
また、斯かる超音波溶接装置は、溶接チップとアンビルで被溶接部材を挟んだ状態で、コンバーターに電力が供給されると、コンバーターを介してブースターに超音波振動エネルギーが発生し、これの前方に接続されたホーンの振動が溶接チップに伝わり、該溶接チップの振動による発熱によって被溶接部材が接合されるものである。
【０００４】
また、従来の超音波溶接装置における溶接チップは、ホーンの先端に着脱可能に取着されており、図５及び図６にはその一例を示している。
【０００５】
該図においておいて、１００はホーンであり、１０１は該ホーン１００の先端に着脱自在に取着された溶接チップである。また、該溶接チップ１０１は、ホーン１００の先端に形成した段部１００ａに外嵌した環状のチップ本体１０１Ａと、該チップ本体１０１Ａの外周に一体的に突設した、作用面１０１Ｂ′を凹凸面とした接合作用部１０１Ｂとからなるものである。そしてまた、該溶接チップ１０１は、ホーン１００の先端に形成したボルト１００Ａと、これに螺合するナット１００Ｂとの締め付けにより固定されている。
【発明の概要】
【発明が解決しようとする課題】
【０００６】
ところで、斯かる従来の溶接チップ１０１は、単にホーン１００の先端に、その一部として取着されているに過ぎず、共振体ではないことから、該溶接チップ１０１とホーン１００との接触面で振動ロスが発生する。そして、この振動ロスが摩耗、発熱の原因となる。
【０００７】
また、溶接チップ１０１は、ホーン１００の先端にその一部として取着されるものであることから、その重量を大きくすることができない。このため、接合作用部１０１Ｂの個数や作用面１０１Ｂ′の面積に制約がある。
【０００８】
また、溶接チップ１０１は、これ自体が加圧されることはなく、片持ち状に保持されたホーン１００側において加圧されるものであるから、加圧のバランスが悪く、溶接チップにおいて充分で且つ安定した加圧を行うことができない。
【０００９】
本発明は上記の点に鑑みなされたものであって、溶接チップをホーンと近い周波数をもつ、半波長又は一波長で且つ腹部−節部−腹部をもつ共振体とし、溶接チップとホーンを一つの共振システムとして構成し、溶接チップを軸断面多角形とし、その軸方向の両端において、その腹部の位置に軸方向と直交又は平行して突出する接合作用部を設け、且つまた該接合作用部は各面の夫々に設けると共に、端面にホーンとの結合ネジの螺合孔を設け、更に溶接チップの軸方向中央における節部の位置に保持、加圧用のフランジ部を形成し、もって上記従来の溶接チップの問題点を悉く解消することができるようになした超音波溶接装置を提供しようとするものである。
【課題を解決するための手段】
【００１０】
而して、本発明の要旨とするところは、溶接チップをホーンと近い周波数をもつ、半波長又は一波長で且つ腹部−節部−腹部をもつ共振体とし、更に該溶接チップを軸断面多角形とし、その軸方向の両端において、その腹部の位置に軸方向と直交又は平行して突出する接合作用部を設け、且つまた該接合作用部は各面の夫々に設けると共に、端面にホーンとの結合ネジの螺合孔を設け、更に該溶接チップの軸方向中央における節部の位置に保持、加圧用のフランジ部を形成してなることを特徴とする超音波溶接装置にある。
【発明の効果】
【００１１】
本発明は上記の如き構成であり、溶接チップをホーンと近い周波数をもつ、半波長又は一波長で且つ腹部−節部−腹部をもつ共振体とし、該溶接チップとホーンを一つの共振システムとして構成し、更に該溶接チップを軸断面多角形とし、その軸方向の両端において、その腹部の位置に軸方向と直交又は平行して突出する接合作用部を設け、且つまた該接合作用部は各面の夫々に設けると共に、端面にホーンとの結合ネジの螺合孔を設け、更に溶接チップの軸方向中央における節部の位置に保持、加圧用のフランジ部を形成してなるものである。
【００１２】
上記の如く溶接チップを共振体とし、溶接チップとホーンを一つの共振システムとして構成したから、従来の如き溶接チップとホーンとの接触面での振動ロスの発生を抑制することができる。そしてまた、この振動ロスに起因する摩耗と発熱の問題も解消することができるものである。
【００１３】
また、溶接チップは共振体であるから、その軸方向の両端における腹部の位置に接合作用部を設けることにより、且つまた反転使用を可能とすべく、軸方向の両端の端面にホーンとの結合ネジの螺合孔を設けることにより、従来の溶接チップよりも接合作用部、更に実質的にはその接合作用面の数を少なくとも２倍に増やすことができるものである。また、溶接チップは軸断面多角形（多面体）であるから、各面の夫々に接合作用部を設けることにより、接合作用部の数を増やすことも可能となるものである。加えて、接合作用部を従来よりも大きくすることが可能になるから、その作用面の面積を大きくすることも可能となるものである。
【００１４】
また、溶接チップの軸方向中央における節部の位置に保持、加圧用のフランジ部を形成したから、ホーン側の保持及び加圧と同時に、これと併せて該溶接チップの保持及び加圧を行うことができるようになり、加圧のバランスがとれて、溶接チップにおいて充分で且つ安定した加圧を行うことができるようになるものである。
【図面の簡単な説明】
【００１５】
【図１】本発明の実施形態に係る超音波溶接装置における要部の斜視図である。
【図２】同側面図である。
【図３】同正面図である。
【図４】図３中Ａ−Ａ線断面図である。
【図５】従来の超音波溶接装置におけるホーンと溶接チップ部分の斜視図である。
【図６】同縦断側面図である。
【発明を実施するための形態】
【００１６】
以下、本発明を実施するための形態について、図面を参照して説明する。
【００１７】
図中、１は超音波溶接装置におけるホーンであり、所定の周波数をもつ半波長のホーンである。また、図においては、超音波溶接装置を構成するホーン以外の部材、即ちコンバーターとブースターからなる起振ユニット等は省略している。
【００１８】
また、該ホーン１は、軸方向の中央部が縮径された鼓形をなし、その軸方向の一方側の端面に、ブースターとの結合ネジ２を取り付けると共に、他方側の端面に後記溶接チップとの結合ネジ３を取り付けている。
【００１９】
４は前記ホーン１の先端に着脱自在に取着される溶接チップであり、前記ホーン１とでもって一つの共振システムとして構成されるものである。また、該溶接チップ４は、前記ホーン１と同様に、軸方向の中央部が縮径された鼓形となしている。
【００２０】
また、該溶接チップ４は、前記ホーン１と近い周波数をもつ、半波長で且つ腹部４ａ−節部４ｂ−腹部４ｃをもつ共振体である。また、該溶接チップ４は、軸断面多角形（本実施形態では四角形）であり、その軸方向の両端において、その腹部４ａ、４ｃの位置に軸方向と直交して突出する接合作用部５、５を設け、且つまた該接合作用部５、５は各面の夫々に設けると共に、端面に前記ホーン１との結合ネジ３の螺合孔６、６を設けている。更にまた、該溶接チップ４は、その軸方向中央における節部４ｂの位置に保持、加圧用のフランジ部７を形成している。尚、図面においては該フランジ部７を介して溶接チップ４を保持、加圧する機構については省略しているが、これは公知の適宜の機構を用いればよい。また、該溶接チップ４と前記ホーン１とで一つの共振システムとして構成していることは、図２に示す通りである。尚、本実施形態においては、溶接チップ４を半波長とした例を示しているが、一波長としてもよく、また、接合作用部５、５を軸方向と直交して突出させた例を示しているが、軸方向と平行して突出させるようにしてもよい。
【００２１】
上記本実施形態によれば、溶接チップ４を共振体とし、溶接チップ４とホーン１を一つの共振システムとして構成していることにより、従来の如き溶接チップとホーンとの接触面での振動ロスの発生を抑制することができるものである。そしてまた、この振動ロスに起因する摩耗と発熱の問題も解消することができるものである。
【００２２】
また、溶接チップ４は共振体であるから、その軸方向の両端における腹部４ａ、４ｃの位置に接合作用部５、５を設けることにより、且つまた反転使用を可能とすべく、軸方向の両端の端面にホーン１との結合ネジの螺合孔６、６を設けることにより、従来の溶接チップよりも接合作用部、更に実質的にはその接合作用面の数を少なくとも２倍に増やすことができるものである。また、溶接チップ４は軸断面多角形（多面体）であるから、各面の夫々に接合作用部を設けることにより、接合作用部の数を増やすことも可能となるものである。加えて、接合作用部を従来よりも大きくすることが可能となるから、その作用面の面積を大きくすることも可能となるものである。
【００２３】
また、溶接チップ４の軸方向中央における節部４ｂの位置に保持、加圧用のフランジ部７を形成したことにより、ホーン１側の保持及び加圧と同時に、これと併せて該溶接チップ４の保持及び加圧を行うことができるようになり、加圧のバランスがとれて、溶接チップ４において充分で且つ安定した加圧を行うことができるようになるものである。
【符号の説明】
【００２４】
１  ホーン
２、３  結合ネジ
４  溶接チップ
４ａ、４ｃ  腹部
４ｂ  節部
５、５  接合作用部
６、６  結合ネジの螺合孔
７  保持、加圧用のフランジ部
【図１】
2014213324.tif 000003
【図２】
2014213324.tif 000004
【図３】
2014213324.tif 000005
【図４】
2014213324.tif 000006
【図５】
2014213324.tif 000007
【図６】
2014213324.tif 000008